(57)【要約】【課題】使用の際に不快感を生じず、かつ、様々な人の指の太さに広く対応可能な帳簿めくり具を提供する。【解決手段】所定長さの帯状バンド体１と、バンド体１の裏面に積層された粘着剤層２と、バンド体１の表て面に部分的に付設された高摩擦係数の突隆部材３と、を具備している。また、突隆部材３は、バンド体１の長手方向の中央部に１個配設されている。また、突隆部材３がシリコンゴムから成っている。【選択図】図２
0003125354.tif 000002
【実用新案登録請求の範囲】
【請求項１】
所定長さの帯状バンド体（１）と、該バンド体（１）の裏面に積層された粘着剤層（２）と、該バンド体（１）の表て面に部分的に付設された高摩擦係数の突隆部材（３）と、を具備したことを特徴とする帳簿めくり具。
【請求項２】
上記突隆部材（３）は、上記バンド体（１）の長手方向の中央部に１個配設され、底面が平坦状のレンズ型である請求項１記載の帳簿めくり具。
【請求項３】
上記突隆部材（３）は、上記バンド体（１）の長手方向の中央部に散点状の複数の小突出子（３ａ）から成る請求項１記載の帳簿めくり具。
【請求項４】
剥離紙（４）を備え、該剥離紙（４）の一面に、複数枚の上記バンド体（１）が上記粘着剤層（２）を介して剥離自在に付設されている請求項１，２又は３記載の帳簿めくり具。
【請求項５】
上記突隆部材（３）がシリコンゴムから成る請求項１，２，３又は４記載の帳簿めくり具。
【考案の詳細な説明】
【技術分野】
【０００１】
本考案は、帳簿めくり具に関する。
【背景技術】
【０００２】
従来より、帳簿をつける作業において、帳簿のページをめくりやすくするために帳簿めくり具が使用されている。従来の帳簿めくり具（所謂指サック）は、ゴム製の袋体を指に嵌めて使用するものであった（例えば、特許文献１参照）。
特許文献１には、ゴム製の袋状本体の先端部に、粘着紙が付設された部材を取り付けた帳簿めくり具が、記載されている。
【特許文献１】実開平６− 75767号公報
【考案の開示】
【考案が解決しようとする課題】
【０００３】
特許文献１のような従来の帳簿めくり具では、ゴム製の袋体が指に密着して通気性の悪いものであった。また、従来の帳簿めくり具は、指から帳簿めくり具が脱落しないように、指への嵌め込み量がある程度大きなものとなっていた。これにより、従来では、長時間指に嵌めていると指が汗ばんでむれて、不潔であると共に不快感を生じるという問題点があった。
また、従来の帳簿めくり具では、ゴム製の袋体に弾力性があり、様々な指の太さにある程度まで対応していたが、その対応可能な範囲は限定的なものであった。
そこで、本考案は、使用の際に不快感を生じず、かつ、様々な人の指の太さに広く対応可能な帳簿めくり具を提供することを目的とする。
【課題を解決するための手段】
【０００４】
上記の目的を達成するために、本考案に係る帳簿めくり具は、所定長さの帯状バンド体と、該バンド体の裏面に積層された粘着剤層と、該バンド体の表て面に部分的に付設された高摩擦係数の突隆部材と、を具備したものである。
また、上記突隆部材は、上記バンド体の長手方向の中央部に１個配設され、底面が平坦状のレンズ型である。
また、上記突隆部材は、上記バンド体の長手方向の中央部に散点状の複数の小突出子から成る。
また、剥離紙を備え、該剥離紙の一面に、複数枚の上記バンド体が上記粘着剤層を介して剥離自在に付設されている。
また、上記突隆部材がシリコンゴムから成る。
【考案の効果】
【０００５】
本考案は、次のような著大な効果を奏する。
本考案に係る帳簿めくり具は、長時間指に嵌めた場合に指が汗ばんでむれるのを防ぎ、清潔で不快感を生じさせない帳簿めくり具とし得る。
また、太さが異なる様々な人の指に広く対応して取り付けることができる。また、人の手のどの指であっても取り付けることができる。
【考案を実施するための最良の形態】
【０００６】
以下、実施の形態を示す図面に基づき、本考案を詳説する。
図１〜図３に於て、本考案の第１の実施の形態に係る帳簿めくり具は、例えば、各種事務，病院、本屋等において使用される。
第１実施形態に係る帳簿めくり具は、所定長さの帯状バンド体１と、バンド体１の裏面に積層された粘着剤層２と、バンド体１の表て面に部分的に付設された高摩擦係数の突隆部材３と、を具備している。
帯状バンド体１は、公知の絆創膏で使用されるような、透湿性や通気性を有する材料にて形成されている。例えば、ポリウレタンフィルムにて形成されている。なお、図示省略するが、帯状バンド体１に通気孔を多数設けるのが好ましい。帯状バンド体１の大きさは、例えば、幅15mm〜25mm，長さ60mm〜80mmに設定されている。
【０００７】
また、粘着剤層２は、帯状バンド体１の裏面側全体に設けられている。この粘着剤層２は、高い粘着力を有すると共に皮膚のかぶれの少ない粘着剤にて形成されている。例えば、アクリル系樹脂粘着剤にて形成されている。
未使用状態では、粘着剤層２は、剥離紙４にて覆われている。
【０００８】
ここで、突隆部材３は、バンド体１の長手方向の中央部に１個配設され、底面が平坦状のレンズ型となっている。この突隆部材３の大きさは、例えば直径が６mm〜12mmに設定されている。また、突隆部材３は、シリコンゴムから成っており、帯状バンド体１の表て面に接着若しくは融着にて付設されている。
【０００９】
上述のように構成された本考案に係る帳簿めくり具は、次のようにして使用される。
まず、剥離紙４を剥がし、次に、図３に示すように、手の好みの指ａ（親指，人指し指，中指，薬指，小指のいずれでもよい）に、突隆部材３が指ａの腹に位置するようにして、バンド体１を巻き付ける。すると、粘着剤層２が指ａに張りついて、バンド体１はしっかり固定される。
ここで、指ａの太さや形状は各人で異なるが、バンド体１の指ａへの巻き付け量を調整することにより、様々な人の様々な指ａの太さや形状に容易に合わせることが可能となっている。
こうして、帳簿めくり具は、指ａに取り付けた後、突隆部材３を帳簿40の紙面に押しつけつつページをめくるようにして、使用される。バンド体１は透湿性や通気性を有する材料にて形成されており、また、指ａの先端部は外部に露出しているので、使用中に指ａが汗ばんでむれるようなことがない。
使用後、帳簿めくり具は、ゴミとなって捨てられる。再び、帳簿40をつける作業を行う場合には、新しい帳簿めくり具が使用される。このように使い捨てとすることによって、同じものを何回も再利用する場合と比較して清潔である。
【００１０】
次に、図４に於て、本考案の第２の実施の形態に係る帳簿めくり具を示す。
第２実施形態では、突隆部材３の形状が第１実施形態と異なっている場合を例示している。具体的には、突隆部材３は、バンド体１の長手方向の中央部に散点状の複数の小突出子３ａ…から成っている。小突出子３ａ…は、図４（ａ）に示すように、全体の並びが四角形状であったり、図４（ｂ）に示すように、全体の並びが円形状であったりするよう設けられている。各小突出子３ａは、例えばレンズ型乃至半球型に形成されている。また、各小突出子３ａの直径は、例えば１mm〜３mmに設定されている。なお、各小突出子３ａとしては、円錐（台）型や角錐（台）型等とするも好ましい（図示省略）。
その他の構成は、第１実施形態と同様である。
【００１１】
次に、図５及び図６に於て、本考案の第３の実施の形態に係る帳簿めくり具を示す。
第３実施形態では、矩形シート状の剥離紙４を備え、剥離紙４の一面に、複数枚のバンド体１…が粘着剤層２を介して剥離自在に付設されている場合を例示している。
各バンド体１は、第１実施形態と同じものであり、バンド体１の表て面には、第１実施形態と同様の突隆部材３が付設されている。また、バンド体１の裏面には、第１実施形態と同様に粘着剤層２が積層されている。
【００１２】
なお、本考案は上述の実施の形態に限定されず、本考案の要旨を逸脱しない範囲で設計変更可能である。例えば、突隆部材３の材質は、高摩擦係数を有するものであればよく、ゴムでなくてもよい。例えば、軟質プラスチックであってもよい。
また、突隆部材３の形状は、（底面が平坦状の）レンズ型に限るのではなく、円錐台型や角錐台型であってもよい。
【００１３】
以上のように、本考案に係る帳簿めくり具は、所定長さの帯状バンド体１と、バンド体１の裏面に積層された粘着剤層２と、バンド体１の表て面に部分的に付設された高摩擦係数の突隆部材３と、を具備したので、ゴム製の袋体を指に密着させる従来と比較して、バンド体１が指ａを覆う面積を小さくすることができる。具体的には、指ａの先端部を外部に露出させ、指ａの側面部を覆う面積を小さくできる。これにより、長時間指ａに嵌めた場合に、指ａが汗ばんでむれるのを防ぎ、清潔で不快感を生じさせない帳簿めくり具とし得る。
また、バンド体１を指ａに巻き付ける量を調整して、太さが異なる様々な人の指ａに広く対応して取り付けることができる。また、人の手のどの指ａ（親指，人指し指，中指，薬指，小指のいずれでもよい）であっても取り付けることができる。
また、バンド体１がしっかりと指ａに固定されているので、本発明に係る帳簿めくり具を指ａに取り付けたまま、パソコンを使用することも可能である。
また、シンプルで安価な構成なので、使い捨ても可能となる。
【００１４】
また、バンド体１の表て面に部分的に付設された高摩擦係数の突隆部材３により、すべらず確実に帳簿40のページをめくることができる。
また、突隆部材３は、バンド体１の長手方向の中央部に１個配設され、底面が平坦状のレンズ型であるので、突隆部材３の中心からずれた位置や斜め方向からでも確実に紙面を捕らえることができ、ページめくりが容易である。また、突隆部材３が複数の小突出子３ａ…から成る場合と比較して、部品点数が少なく制作容易である。
【００１５】
また、突隆部材３は、バンド体１の長手方向の中央部に散点状の複数の小突出子３ａ…から成るので、広い領域に渡って帳簿40の紙面を捕らえることができ、ページめくりが容易である。
また、剥離紙４を備え、剥離紙４の一面に、複数枚のバンド体１…が粘着剤層２を介して剥離自在に付設されているので、複数の帳簿めくり具をひとまとめにして扱うことができる。これにより、帳簿めくり具を複数枚セットで販売したり、購入した複数枚の帳簿めくり具を保管したりするのが容易である。
また、突隆部材３がシリコンゴムから成るので、耐熱性及び非粘着性に優れ、帳簿めくり具として安定した性能を発揮できる。
【図面の簡単な説明】
【００１６】
【図１】本考案の第１実施形態に係る帳簿めくり具を示す斜視図である。
【図２】断面側面図である。
【図３】使用状態を示す説明図である。
【図４】本考案の第２実施形態に係る帳簿めくり具を示す斜視図であって、（ａ）は小突出子の全体の並びが四角形状である場合の斜視図、（ｂ）は小突出子の全体の並びが円形状である場合の斜視図である。
【図５】本考案の第３実施形態に係る帳簿めくり具を示す斜視図である。
【図６】断面側面図である。
【符号の説明】
【００１７】
１  バンド体
２  粘着剤層
３  突隆部材
３ａ  小突出子  
４  剥離紙
【図１】
0003125354.tif 000003
【図２】
0003125354.tif 000004
【図３】
0003125354.tif 000005
【図４】
0003125354.tif 000006
【図５】
0003125354.tif 000007
【図６】
0003125354.tif 000008